【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】  質量で、以下の成分を含む組成物。
（１）100部のグラフトコポリマー組成物であって、（ａ）フリーラジカルによって重合可能な少なくとも１種のビニルモノマーがグラフト重合されているプロピレンポリマー物質の骨格を含むグラフトコポリマー、及び（ｂ）該グラフトコポリマー組成物の総質量に基づいて、少なくとも５質量％のゴム成分を含むグラフトコポリマー組成物；
（２）該グラフトコポリマー組成物100部当たり約５〜約２０部の、116℃未満の融点及び４０未満の酸価を有する酸化ポリエチレンワックス；
（３）該グラフトコポリマー組成物100部当たり約５部〜約２０部の、脂肪族α,β-不飽和ジカルボン酸の無水物でグラフトされ、かつ約２〜約５％の無水物含量を有するプロピレンホモポリマー又は約0.5％〜約２０％のエチレン若しくはα-オレフィン含量を有するエチレン若しくは4-8Ｃα-オレフィンとのプロピレンコポリマー；及び
（４）以下の成分から成る群より選択される、該グラフトポリマーの無水物基と反応性である官能性ポリマー：
（ａ）該グラフトコポリマー組成物100部当たり約２〜約６部のアミン末端ポリアルキレングリコール；
（ｂ）該グラフトコポリマー組成物100部当たり約２〜約６部のヒドロキシ末端ポリオレフィン；
（ｃ）該グラフトコポリマー組成物100部当たり約２〜約６部のヒドロキシ末端ポリブタジエン；
（ｄ）該グラフトコポリマー組成物100部当たり約２〜約８部のヒドロキシ末端オレフィン／アルキレンオキシドコポリマー；
（ｅ）該グラフトコポリマー組成物100部当たり約２〜約８部のヒドロキシ末端ポリアルキレンオキシド；
（ｆ）該グラフトコポリマー組成物100部当たり約２〜約８部のメトキシ末端ポリアルキレンオキシド；
（ｇ）該グラフトコポリマー組成物100部当たり約２〜約８部のアミン末端オレフィン／アルキレンオキシドコポリマー、及び
（ｈ）それらの混合物。 
【請求項２】  前記プロピレンポリマー物質が、以下の成分から成る群より選択される、請求項１に記載の組成物。
（１）８０より大きいアイソタクチック指数を有するプロピレンの結晶性ホモポリマー；
（２）プロピレンと、エチレン及び4-10Ｃα-オレフィンから成る群より選択されるオレフィンとの結晶性コポリマーであって、該オレフィンがエチレンである場合は、最大重合エチレン含量が約１０％であり、かつ該オレフィンが4-10Ｃα-オレフィンである場合は、その最大重合含量が約２０質量％であり、８５より大きいアイソタクチック指数を有する結晶性コポリマー；
（３）プロピレンと、エチレン及び4-8Ｃα-オレフィンから成る群より選択される２種のオレフィンとの結晶性ターポリマーであって、最大重合4-8Ｃα-オレフィン含量が約２０質量％であり、かつ該オレフィンの１つがエチレンである場合は、最大重合エチレン含量が約５質量％であり、８５より大きいアイソタクチック指数を有る結晶性ターポリマー；
（４）以下の成分を含むオレフィンポリマー組成物：
（ａ）約１０質量％〜約６０質量％の、アイソタクチック指数が８０より大きい結晶性プロピレンホモポリマー、又は（ｉ）プロピレンとエチレン、（ii）プロピレンとエチレンと4-8Ｃα-オレフィン、及び（iii）プロピレンと4-8Ｃα-オレフィンから成る群より選択されるモノマーの結晶性コポリマーであって、８５質量％より高い重合プロピレン含量及び８５より大きいアイソタクチック指数を有るコポリマー；
（ｂ）約５質量％〜約２５質量％の、エチレンと、プロピレン又は4-8Ｃα-オレフィンとのコポリマーであって、周囲温度でキシレンに不溶性であるコポリマー；及び
（ｃ）約３０質量％〜約７０質量％の、（ｉ）エチレンとプロピレン、（ii）エチレンとプロピレンと4-8Ｃα-オレフィン、及び（iii）エチレンと4-8Ｃα-オレフィンから成る群より選択されるモノマーのエラストマーコポリマーであって、７０質量％未満の重合エチレンを含有し、かつ周囲温度でキシレンに可溶性であり、デカヒドロナフタレン中、135℃で測定した固有粘度が約1.5〜約4.0dl/ｇであるコポリマー、
ここで、（ｂ）と（ｃ）の総量は、全オレフィンポリマー組成物に基づいて、約５０％〜約９０％であり、質量比（ｂ）／（ｃ）は0.4未満であり、かつ該組成物は、少なくとも２段階の重合で調製され、150MPa未満の曲げモジュラスを有し；及び
（５）以下の成分、
（ａ）約１０％〜約６０％の、アイソタクチック指数が８０より大きいプロピレンホモポリマー、又は（ｉ）エチレンとプロピレン、（ii）エチレンとプロピレンと4-8Ｃα-オレフィン、及び（iii）エチレンと4-8Ｃα-オレフィンから成る群より選択されるモノマーのコポリマーであって、８５％より高い重合プロピレン含量及び８５より大きいアイソタクチック指数を有するコポリマー；
（ｂ）約２０％〜約６０％の、（ｉ）エチレンとプロピレン、（ii）エチレンとプロピレンと4-8Ｃα-オレフィン、及び（iii）エチレンと4-8Ｃα-オレフィンから成る群より選択されるモノマーのアモルファスコポリマーであって、７０％未満の重合エチレンを含有し、かつ周囲温度でキシレンに可溶性であるコポリマー；及び
（ｃ）約３％〜約４０％の、エチレンと、プロピレン又は4-8Ｃα-オレフィンとのコポリマーであって、周囲温度でキシレンに不溶性であるコポリマー、
を含む熱可塑性オレフィンであって、150より高いが1200MPa未満の曲げモジュラスを有する熱可塑性オレフィン。
【請求項３】  前記プロピレンポリマー物質がプロピレンホモポリマーである、請求項２に記載の組成物。
【請求項４】  前記グラフト重合モノマーがスチレンである、請求項１に記載の組成物。
【請求項５】  前記脂肪族α,β-不飽和ジカルボン酸の無水物が無水マレイン酸である、請求項１に記載の組成物。
【請求項６】  前記官能性ポリマーが、（ａ）アミン末端ポリエチレンオキシド、（ｂ）ヒドロキシ末端ポリエチレンオキシド、及び（ｃ）ヒドロキシ末端エチレン／エチレンオキシドコポリマーから成る群より選択される、請求項１に記載の組成物。
【請求項７】  前記グラフトコポリマー組成物（１）が、更に、該グラフトコポリマー組成物（１）の総質量に基づいて、（ｃ）約５％〜約４０％の広い分子量分布のプロピレンポリマー物質を含む請求項１に記載の組成物。
【請求項８】  （５）該グラフトコポリマー組成物（１）１００部当たり約４〜約３０部の、脂肪族α,β-不飽和ジカルボン酸の無水物でグラフトされ、無水物含量が少なくとも0.3％であるが３％未満であるポリオレフィンゴムであって、エチレン含量が約３０％〜約７０％である、エチレンと3-8Ｃα-オレフィンのポリマーを更に含む請求項１に記載の組成物。
【請求項９】  前記グラフトコポリマー（５）が、更に、約0.5％〜約１０％のジエンを含有する請求項８に記載の組成物。
【請求項１０】  前記グラフトコポリマー組成物（１）が、更に、該グラフトコポリマー組成物（１）１００部当たり約５〜約２０部の、脂肪族α,β-不飽和ジカルボン酸の無水物でグラフトされたエチレンポリマーであって、無水物含量が約１％〜約１６％であり、かつ数平均分子量Ｍnが約500〜約5000であるエチレンポリマーを含有する請求項１に記載の組成物。
【請求項１１】  前記エラストマーコポリマー（４）（ｃ）が、更に、約0.5質量％〜約１０質量％の重合ジエンを含有する請求項２に記載の組成物。
【請求項１２】  前記アモルファスコポリマー（５）（ｂ）が、更に、約0.5質量％〜約１０質量％の重合ジエンを含有する請求項２に記載の組成物。